(57)【特許請求の範囲】
【請求項１】
針挿入穴と、該針挿入穴に対して角度を持った糸挿入スリットとが形成された針受部材と、
前記針受部材に対して離反した位置と接近した位置との間で移動可能となっており、離反した位置から接近した位置へと移動するときに、前記針挿入穴に挿入された針の針穴に、前記糸挿入スリットに挿入された糸を押し出し可能な糸通しピンを有する、糸通し部材と、
針受部材に対して移動可能となった切替部材と、
を備え、
前記糸通し部材は、前記離反する位置へと常時付勢されており、
前記切替部材は、糸通し部材を針受部材に対して接近した位置に拘束する拘束位置と、糸通し部材を針受部材に対して離反した位置と接近した位置との間で移動することを許容する許容位置と、の間で移動可能であり、
前記糸通し部材は、その先端が針受部材に対して接近した位置と離反した位置に移動するべく、揺動可能となっており、前記切替部材は、前記拘束位置において、前記糸通し部材の少なくともその一部を覆うカバーであることを特徴とする針糸通し装置。
【請求項２】
前記針受部材は筒状の本体内に配置され、前記切替部材は本体の外側を摺動可能となっており、前記糸通し部材は、針受部材に対して接近した位置にあるときに、本体内に少なくともその一部が配置されることを特徴とする請求項１記載の針糸通し装置。
【請求項３】
前記針糸通し装置内には、本体と針受部材との間に収容空間が形成されることを特徴とする請求項２に記載の針糸通し装置。
【請求項４】
前記針挿入穴の末端部には、マグネットが配置されることを特徴とする請求項１ないし３のいずれか１項に記載の針糸通し装置。
【請求項５】
前記糸挿入スリットは、針受部材の外側から、針挿入穴に対して傾斜する方向に形成された後、針挿入穴に対して直交する方向に形成されて針挿入穴に接近することを特徴とする請求項１ないし４のいずれか１項に記載の針糸通し装置。
【請求項６】
前記針糸通し装置は、前記針受部材と前記糸通し部材と前記切替部材とが組み立てられた針糸通しユニットと、該針糸通しユニットとは別の機能ユニットとが一体化されたものであることを特徴とする請求項１ないし５のいずれか１項に記載の針糸通し装置。
【請求項７】
前記針受部材は、さらに、前記糸通しピンの移動を案内する保護部材を備えることを特徴とする請求項１ないし６のいずれか１項に記載の針糸通し装置。
【請求項８】
前記保護部材は、前記糸通し部材が前記針受部材に対して接近したときに、前記糸通し部材の接近を許容するべく変形可能となっていることを特徴とする請求項７記載の針糸通し装置。
【請求項９】
前記針受部材と前記糸通し部材との間には、前記糸通し部材の糸通しピンが針挿入穴を通過するのに合わせて、音または摩擦力を発生する通知手段を備えることを特徴とする請求項１ないし８のいずれか１項に記載の針糸通し装置。
【請求項１０】
前記糸通し部材は、一対の糸通し受部品と該一対の糸通し受部品に挟まれて糸通しピンを有する糸通し部品とを備えており、
一対の糸通し受部品の一方には前記針受部材に軸支される枢軸を有し、一対の糸通し受部品の他方には、前記枢軸に対応する位置に切欠を有していることを特徴とする請求項１ないし９のいずれか１項に記載の針糸通し装置。
【発明の詳細な説明】
【技術分野】
【０００１】
本発明は、針の針穴に簡単に糸を通すことができる針糸通し装置に関する。
【背景技術】
【０００２】
従来、この種の針糸通し装置としては、特許文献１に記載されたものが知られている。これによれば、台座面を有する本体に有底の針挿入穴を持つ針挿入筒を立設し、この針挿入筒の下部には、挿入した針の針穴を連通する糸通し穴を針挿入穴と交差する方向に形成し、この糸通し孔の入口近傍に糸載置部を設け、本体に設けた押圧部材の押圧力で本体内に設けた作動部材を介して作動部材に設けた糸係止片を糸通し穴に挿脱自在に設けている。針を、針挿入筒の針挿入穴に挿入して糸を糸載置部にセットして押圧部材を押圧すると、作動部材が揺動する。これによって、作動部材に設けた糸係止片が糸載置部にセットされた糸を糸通し穴に引き込み、針糸に通す。そして、押圧部材の押圧を解除すると、作動部材がバネによって揺動復帰し、元の状態に戻り、糸を針穴に通った状態にすることができる。【０００３】
【特許文献１】特許第３３１５３６４号公報
【発明の開示】
【発明が解決しようとする課題】
【０００４】
しかしながら、特許文献１の針糸通し装置では、本体内に作動部材が揺動するための空間を設けているために、本体が大型化し、装置が嵩張り、収納に不便である、という問題がある。【０００５】
本発明は、かかる課題に鑑みなされたもので、装置を小型に構成することができ、収納に便利な針糸通し装置を提供することをその目的とする。
【課題を解決するための手段】
【０００６】
上記目的を達成するために、本発明は、針挿入穴と、該針挿入穴に対して角度を持った糸挿入スリットとが形成された針受部材と、
前記針受部材に対して離反した位置と接近した位置との間で移動可能となっており、離反した位置から接近した位置へと移動するときに、前記針挿入穴に挿入された針の針穴に、前記糸挿入スリットに挿入された糸を押し出し可能な糸通しピンを有する、糸通し部材と、
針受部材に対して移動可能となった切替部材と、
を備え、
前記糸通し部材は、前記離反する位置へと常時付勢されており、
前記切替部材は、糸通し部材を針受部材に対して接近した位置に拘束する拘束位置と、糸通し部材を針受部材に対して離反した位置と接近した位置との間で移動することを許容する許容位置と、の間で移動可能であることを特徴とする。【０００７】
切替部材が拘束位置にあるときに、糸通し部材は針受部材に対して接近した位置で拘束されるために、不使用時に装置全体を小型にすることができて、収納性に優れたものとすることができる。使用する際には、切替部材を許容位置に移動させることで、糸通し部材は移動が許容されて、付勢力によって針受部材から離反する位置へと自動的に移動することができる。針を針挿入穴に、糸を糸挿入スリットに挿入した後、糸通し部材を付勢力に抗して移動させることで、糸通しピンによって糸を針穴に押し出すことができる。こうして、使用時のみ糸通し部材を移動可能とするために不使用時に小型に構成することができる。【０００８】
また、前記糸通し部材が、その先端が針受部材に対して接近した位置と離反した位置に移動するべく、揺動可能となっており、前記切替部材は、前記拘束位置において、前記糸通し部材の少なくともその一部を覆うカバーとすることができる。カバーが揺動可能な糸通し部材の少なくとも一部を覆うことで、その揺動を拘束することができる。【０００９】
また、前記針受部材が筒状の本体内に配置され、前記切替部材は本体の外側を摺動可能となっており、前記糸通し部材は、針受部材に対して接近した位置にあるときに、本体内に少なくともその一部が配置されるとよい。不使用時に、針受部材と糸通し部材の少なくとも一部を筒状の本体内に収めることができるため、装置全体を小型にすることができて、収納性により優れたものとすることができる。【００１０】
また、前記針糸通し装置内に、本体と針受部材との間に収容空間が形成されるとよい。本体と針受部材との間に収容空間が形成されることで、さらに、針糸通し装置の内部空間を有効利用することができ、空間効率の良く、収容性の良い針糸通し装置とすることができる。【００１１】
また、前記針挿入穴の末端部に、マグネットが配置されるとよい。針を針挿入穴に挿入したときに、針がマグネットによって吸着されるために、針を定位置に保持することができ、針の落下を防ぐこともできる。【００１２】
また、前記糸挿入スリットが、針受部材の外側から、針挿入穴に対して傾斜する方向に形成された後、針挿入穴に対して直交する方向に形成されて針挿入穴に接近するとよい。糸挿入スリットが針挿入穴に接近した位置で直交する方向に形成されているために、糸を糸挿入スリットに挿入したときに、その直交する位置に糸が挿入されていれば、糸通しピンによって、糸を針穴に確実に押し出すことができる。【００１３】
また、前記針糸通し装置が、前記針受部材と前記糸通し部材と前記切替部材とが組み立てられた針糸通しユニットと、該針糸通しユニットとは別のユニットとが一体化されたものとすることができる。装置が小型化されるために、針糸通しユニットとは別の機能ユニットと一体にすることもできる。【００１４】
前記針受部材は、さらに、前記糸通しピンの移動を案内する保護部材を備えるとよい。糸通し部材が針受部材に離反した位置から接近した位置へと移動して、針の針穴に挿入されるときに、保護部材によって細い糸通しピンが折れたり曲がったりすることを防止することができる。【００１５】
また、前記保護部材は、前記糸通し部材が前記針受部材に対して接近したときに、前記糸通し部材の接近を許容するべく変形可能となっているとよい。保護部材が変形することで、糸通し部材が針受部材に接近するときに、糸通しピンの移動を案内する保護部材が邪魔することを防ぐことができる。【００１６】
また、前記針受部材と前記糸通し部材との間には、前記糸通し部材の糸通しピンが針挿入穴を通過するのに合わせて、音または摩擦力を発生する通知手段を備えるとよい。使用者は、通知手段によって、糸通し部材の移動操作を終了させることを知ることができる。【００１７】
前記糸通し部材は、一対の糸通し受部品と該一対の糸通し受部品に挟まれて糸通しピンを有する糸通し部品とを備えており、一対の糸通し受部品の一方には前記針受部材に軸支される枢軸を有し、一対の糸通し受部品の他方には、前記枢軸に対応する位置に切欠を有するとよい。糸通し部材を針受部材に取り付けるために、一方の糸通し受部品に設けられた枢軸を針受部材に挿入する際に、他方の糸通し受部品に設けられた切欠があるために、他方の糸押し受部品の切欠が針受部材との干渉を避けることができて、取付作業を容易にすることができる。
【図面の簡単な説明】
【００１８】
【図１】本発明の第１実施形態に係る針糸通し装置の収納時の全体図である。
【図２】図１の針糸通し装置の収納時の縦断面図である。
【図３】図１の針糸通し装置の内部の分解斜視図である。
【図４】図１の針糸通し装置の使用時の要部縦断面図である。
【図５】図１の針糸通し装置の使用時の要部縦断面図である。
【図６】図１の針糸通し装置の使用時の要部縦断面図である。
【図７】糸を通した針を表す。
【図８】本発明に係る針糸通し装置において、筆記具ユニットとは別のユニットを軸方向に並べて一体化した変形例を表す縦断面図である。
【図９】本発明に係る針糸通し装置において、筆記具ユニットとは別のユニットを軸方向に並べて一体化した他の変形例を表す縦断面図である。
【００１９】
【図１０】本発明の第２実施形態に係る針糸通し装置の収納時の縦断面図である。
【図１１】図１０の１１−１１線に沿って見た断面図である。
【図１２】図１１の１２−１２線に沿って見た横断面図である。
【図１３】図１１の１３線方向から見た端面図である。
【図１４】図１３からダイヤルを回した状態を示す端面図である。
【００２０】
【図１５】本発明の第３実施形態に係る針糸通し装置の収納時の全体図である。
【図１６】図１５の糸通し装置の使用時の全体図である。
【図１７】図１５の針糸通し装置の一部の斜視図である。
【図１８】図１５の針糸通し装置の要部の分解斜視図である。
【図１９】図１５の針糸通し装置の使用時の要部縦断面図である。
【図２０】図１５の針糸通し装置の使用時の要部縦断面図である。
【図２１】図１５の針糸押し装置の糸通し部材を針受部材に取り付ける工程を表す斜視図である。
【符号の説明】
【００２１】
１０、１０’、１００  針糸通し装置
１２、１１２  針糸通しユニット
１４  筆記具ユニット（機能ユニット）
３０  本体
３２、１３２  カバー（切替部材）
３４、３４’、１３４  針受部材
３４ｃ、１３４ｃ  針挿入穴
３４ｅ、１３４ｅ  糸挿入スリット
４０、１４０  マグネット
４２、１４２  糸通し部材
４８ｂ、１４８ｂ  糸通しピン
５２  針
５２ａ  針穴
５４  糸
６０、６２  収容容器（機能ユニット）
９０  収容空間
１４４、１４６  糸通し受部品
１４４ｃ  枢軸
１４６ｃ  切欠
１５２  保護カバー（保護部材）
１５２ｄ  小突起（通知手段）
【発明を実施するための最良の形態】
【００２２】
以下、図面を用いて本発明の実施の形態を説明する。
図１は本発明の第１実施形態に係る針糸通し装置の収納時の全体図、図２は収納時の縦断面図、図３は糸通し装置の内部の分解斜視図である。【００２３】
図において、この例の針糸通し装置１０は、全体的に細長の円柱構造をなしており、その一端部側が針糸通し装置１０を構成する針糸通しユニット１２、他端部側に筆記具ユニット１４が設けられて、両ユニットが軸方向に連結されて一体となっている。両ユニットを一体化する手段としては、圧入、接着、螺合等の任意の結合手段によって行うことができ、着脱可能または着脱不能に一体化することができる。筆記具ユニット自体を省略して、針糸通しユニット１２単独で構成することも勿論可能であるが、この例では、筆記具ユニット１４が一体化されることによって、筆記具ユニット１４を用いて布等に筆記することができるようになっている。【００２４】
筆記具ユニット１４は、インキタンクを構成する筆記具本体２０と、中継芯２２と、蛇腹状に構成されて余剰インキを収容するアジャスター２４と、先具２６と、ペン先２８と、図示しないペン先２８を保護する着脱可能なキャップとを備えている。筆記具ユニット１４の構成はこれ以外の任意の構成をとることができる。【００２５】
さて、針糸通しユニット１２は、前記筆記具ユニット１４の筆記具本体２０と連結される円筒状の本体３０と、本体３０の外側にあり本体３０に対してその軸方向に所定の範囲で摺動自在となった円筒状の切替手段であるカバー３２と、を備えている。本体３０及びカバー３２には、それぞれ円周方向に整合した位置に、端部から軸方向に延びる長孔３０ａ、３２ａが形成されている。【００２６】
尚、以下の説明において便宜上、針糸通しユニット１２について、筆記具ユニット１４側を基端側とし、反対側を先端側と称することとする。【００２７】
本体３０内には、先端部側から針受部材３４が配置される。針受部材３４は、図３に示すように、ほぼ対称的に形成された２つの針受部品３６、３８から構成され、一方の針受部品３６に形成された複数の係合孔３６ａに他方の針受部品３８に形成された複数の係合突起３８ａが嵌合することで、両者は本体３０内に配設される略円柱状の針受部材３４を構成する。針受部材３４は、本体３０に対して圧入、係合、接着等の手段によって本体３０内で固定される。【００２８】
各針受部品３６、３８の先端部には、鍔部３６ｂ、３８ｂが形成されており、これらの鍔部３６ｂ、３８ｂがそれぞれ本体３０の先端面に当接する。【００２９】
各針受部品３６、３８には、互いの対向面に、先端部から長溝部３６ｃ、３８ｃが形成されており、針受部品３６、３８が組み合わされて針受部材３４を構成したときに、長溝部３６ｃ、３８ｃは、針が挿入されるための針挿入穴３４ｃ（図２参照）を形成する。【００３０】
各針受部品３６、３８には、円周方向において一部、外径方向に突出した突出部３６ｄ、３８ｄが形成されており、針受部品３６、３８が組み合わされて針受部材３４を構成したときに、これらの突出部３６ｄ、３８ｄの対向面同士の間にはわずかな隙間が形成されるようになっている。この隙間は、針挿入穴３４ｃに連通するように径方向内側にまで形成される。また、この突出部３６ｄ、３８ｄは、本体３０及びカバー３２の前記長孔３０ａ、３２ａから若干突出して、露出する。【００３１】
該突出部３６ｄ、３８ｄの露出面から斜めにスリット３６ｅ、３８ｅが形成される。スリット３６ｅ、３８ｅは、露出面から基端側へと斜めに延びた後、前記長溝部３６ｃ、３８ｃで構成される針挿入穴３４ｃに対して直交する方向に延びる。これらのスリット３６ｅ、３８ｅによって糸挿入スリット３４ｅ（図２参照）が形成される。また、長溝部３６ｃ、３８ｃの末端部、即ち、基端部に隣り合うようにして収容溝３６ｆ、３８ｆが形成されており、この収容溝３６ｆ、３８ｆによってマグネット収容部３４ｆ（図２参照）が形成される。マグネット収容部３４ｆには、マグネット４０が収容される。【００３２】
また、針受部品３６、３８には、長溝部３６ｃ、３８ｃの末端部から該長溝部３６ｃ、３８ｃに直交する方向に、且つ、突出部３６ｄ、３８ｄと反対の方向に凹部３６ｇ、３８ｇが延びている。針受部品３６、３８が組み合わされて針受部材３４を構成したときに、この凹部３６ｇ、３８ｇによって抜け孔３４ｇ（図２参照）が形成される。【００３３】
針受部品３６、３８の突出部３６ｄ、３８ｄよりも基端側には、切欠部３６ｈ、３８ｈが形成される。また、切欠部３６ｈ、３８ｈの周囲は、肉薄の板状部３６ｉ、３８ｉとなっており、該板状部３６ｉ、３８ｉの基端部には、枢軸３６ｊ、３８ｊが突設されている。また、板状部３６ｉ、３８ｉの上面には、互いに対向する側が反対向側よりも低くなった低頂部３６ｋ、３８ｋが形成されており、この低頂部３６ｋ、３８ｋによってバネ受け面３４ｋが形成される。【００３４】
この板状部３６ｉ、３８ｉを挟むようにして、糸通し部材４２が配置される。糸通し部材４２は、ほぼ同形に形成された２つの糸通し受部品４４、４６と、糸通し受部品４４、４６に挟まれる糸通し部品４８と、付勢部材であるバネ５０とから構成される。一方の糸通し受部品４４に形成された複数の係合突起４４ａに糸通し部品４８に形成された複数の係合孔４８ａ、及び他方の糸通し受部品４６に形成された複数の係合孔４６ａが嵌合することで、糸通し部品４８を挟んだ状態で、糸通し受部品４４、４６は、糸通し部材４２の外形を構成する。糸通し部品４８には、糸通し受部品４４、４６の間から突出する糸通しピン４８ｂが形成される。【００３５】
また、バネ５０は、互いに角度をなした一辺５０ａと他辺５０ｂとを有し、これらの角度が可変となるように弾性変形可能となっている。バネ５０の一辺５０ａが糸通し受部品４４に形成された溝４４ｂに沿って配置されて、糸通し受部品４４、４６の間に挟まれる。【００３６】
糸通し受部品４４、４６にはそれぞれ軸受穴４４ｃ、４６ｃが形成されており、軸受穴４４ｃ、４６ｃは、前記針受部品３６、３８の枢軸３６ｊ、３８ｊに回動可能に嵌合する。こうして、糸通し受部品４４、４６が前記針受部品３６、３８の板状部３６ｉ、３８ｉに隣接し、糸通し部品４８及びバネ５０が前記針受部品３６、３８の切欠部３６ｈ、３８ｈ内に配置され、バネ５０の他辺５０ｂがバネ受け面３４ｋに当接する。これによって、糸通し部材４２は、枢軸３６ｊ、３８ｊを中心として針受部材３４に対して揺動可能に、つまり、針受部材３４に対してその先端が離反する位置と接近する位置との間で移動可能となっており、且つその先端が針受部材３４に対してバネ５０によって離反する方向に付勢されて取り付けられる。また、本体３０に対して、糸通し部材４２は、本体３０の長孔３０ａを通過して揺動することができる。【００３７】
また、糸通し部材４２の前記針受部材３４に対する離反する位置から接近する位置への揺動運動の際に、糸通し部品４８の糸通しピン４８ｂは、前記針受部品３６、３８の突出部３６ｄ、３８ｄの対向面の間に形成される隙間から、針挿入穴３４ｃを形成する長溝部３６ｃ、３８ｃの基端部を通過し、抜け穴３４ｇを構成する凹部３６ｇ、３８ｇまでを往復運動することができる。【００３８】
糸通し部材４２をバネ５０の付勢力に抗して、最大限、針受部材３４に接近させたときに、糸通し受部品４４、４６の先端部に形成されて径方向及び先端方向に突出する突出部４４ｄ、４６ｄが、前記針受部品３６、３８の突出部３６ｄ、３８ｄと整列する。【００３９】
以上のように構成される針糸通しユニット１２において、不使用時には、図２に示すようにカバー３２は、本体３０の長孔３０ａの基端部を覆った位置（拘束位置）にあり、これによって、糸通し部材４２を構成する糸通し受部品４４、４６の突出部４４ｄ、４６ｄ以外の部分は、カバー３２によって覆われている。このため、糸通し部材４２は、バネ５０の付勢力が封じられており、針受部材３４に接近した位置で拘束され、針受部材３４と共に円柱形状をなして、本体３０内に収まっている。従って、この状態で針糸通しユニット１２をコンパクトに収納することができる。このとき、糸通し部品４８の糸通しピン４８ｂの先端は、図２に示すように、抜け穴３４ｇに達している。【００４０】
使用する際には、カバー３２を本体３０に対して基端側へと摺動させた位置（許容位置）に移動させる。この摺動により、糸通し部材４２は、カバー３２から脱するので、揺動運動が許容され、バネ５０の付勢力によって外方へと揺動する（図４）。この揺動運動によって、糸通し部品４８の糸通しピン４８ｂの先端は、抜け穴３４ｇ及び針挿入穴３４ｃを通り、突出部３６ｄ、３８ｄの間の隙間部分で待機している。【００４１】
次いで、図５に示すように、針５２をその針穴５２ａの方から針挿入穴３４ｃに挿入する。針５２を針挿入穴３４ｃに挿入して、奥まで挿入すると、マグネット４０の磁力によって針５２を吸着するので、針５２を確実に定位置に固定することができ、針５２の落下を防止することができる。【００４２】
また、糸５４を糸挿入スリット３４ｅから挿入する。糸挿入スリット３４ｅの末端部は、針穴５２ａの位置に対応するように設定される。糸挿入スリット３４ｅの末端部は、針挿入穴３４ｃに対して直交する方向に延びているため、この直交する部分まで糸５４が到達すればよい。【００４３】
そして、糸通し部材４２を押圧して、その糸通し受部品４４、４６の突出部４４ｄ、４６ｄの先端が針受部材３４に接近するように揺動させると、図６に示すように、糸通し部品４８の糸通しピン４８ｂの先端は、糸を押し出しながら、針穴５２ａを通過して、抜け穴３４ｇに達する。糸通し部材４２の押圧を解除すると、糸通しピン４８ｂは針穴５２ａから脱するが、糸５４は、針穴５２ａを通過した状態を維持する。【００４４】
そして、針５２を針挿入穴３４ｃから取り出すと、糸５４の一部が針穴５２ａを通過した状態で取り出される。針穴５２ａを通過した糸は図７に示すように、ループ状になっているので、糸５４の端部を針穴５２ａが通過するまで、そのループを大きくしていくと、ループが解除されて、糸５４が針穴５２ａを通過し、針通しが完成する。【００４５】
使用が終了すれば、糸通し部材４２を押圧して、その糸通し受部品４４、４６の突出部４４ｄ、４６ｄの先端を針受部材３４に接近させた後、カバー３２を覆って拘束位置に移動させることで、再び装置全体を小型にすることができる。【００４６】
以上のように、本発明によれば、使用時は手に持ちながらでの操作が可能であり、不使用時に装置全体を小型にすることができて、収納性に優れたものとすることができる。【００４７】
図８及び図９は、本発明の針糸通しユニット１２と筆記具ユニット１４とは別の機能ユニットを軸方向に並べて一体化して針糸通し装置１０を構成した変形例である。別のユニットとしては、図８、９に示すように、収容容器６０、６２とすることができ、収容容器６０、６２は、本体３０に対して螺合によって着脱可能に連結されているが、螺合以外の任意の結合手段によって行うこともできる。収容容器６０はブロー成形により、収容容器６２はインジェクション成形によって形成されている。収容容器６０、６２には、使用者が所望の任意の小物、例えば、薬や、糸、針、ボタンといった物を収容することができ、収容容器６０，６２を本体３０から取り外すことで、収容物の出し入れを行うことができる。【００４８】
図１０ないし図１４は、本発明の第２実施形態に係る針糸通し装置の図である。この実施形態における針糸通し装置１０’は、複数のユニットを有しておらず、その代わりに、内部に収容空間を一体的に設けている。本実施形態において、第１実施形態と同一・同様の部品は、同一の符号を用いてその詳細説明を省略する。【００４９】
針糸通し装置１０’は、円筒状の本体３０と、本体３０の外側にあり本体３０に対してその軸方向に所定の範囲で摺動自在となった円筒状の切替手段であるカバー３２と、針受部材３４’と、糸通し部材４２と、本体３０内に基端側即ち後方から挿入されて本体３０内で固定される尾栓８４と、尾栓８４に対して回転可能に取り付けられるダイヤル８６と、を備えている。【００５０】
この例においては、針受部材３４’を構成する各針受部品３６’、３８’は、図１１に示すように、径方向に広がっておらず本体３０との間において隙間が形成されており、針受部材３４’の両側に、尾栓８４の先方に延びる一対の壁面部８４ａ、８４ａが配置され、壁面部８４ａと本体３０の内周面との間に軸方向に延びる収容空間９０が画成されている。【００５１】
これらの尾栓８４及び針受部材３４’の本体３０に対する固定は、係止、圧入、嵌合等の任意の方法で行うことができる。【００５２】
尾栓８４は、本体３０の後端を塞ぐ後端面部８４ｂを有しており、後端面部８４ｂには、その中心部に中心孔８４ｃと、中心孔８４ｃの周囲を包囲する鍔部８４ｅが形成される。また、尾栓８４の後端面部８４ｂには、中心孔８４ｃから偏心して前記各収容空間９０と連通する一対の挿通口８４ｄ、８４ｄが形成される。【００５３】
ダイヤル８６は、尾栓８４の後端面部８４ｂの後方から取り付けられており、ダイヤル８６のボス部８６ａは、尾栓８４の中心孔８４ｃ内に挿入されて鍔部８４ｅの先端に回転可能に係止される。ダイヤル８６には、偏心した位置に前記挿通口８４ｄと整合可能な窓孔８６ｂが形成される。【００５４】
以上のように構成される針糸通し装置１０’においては、尾栓８４の壁面部８４ａと本体３０の内周面との間に画成された収容空間９０内に針５２等を収容することができる。収容物を出し入れする際には、ダイヤル８６を回転して、図１３に示すように、ダイヤル８６の窓孔８６ｂを尾栓８４のいずれかの挿通口８４ｄと整合させる。これによって、収容物を収容空間９０内外へと出し入れすることが可能になる。また、収容物の出し入れが終了したならば、ダイヤル８６を回して、図１４に示すように、窓孔８６ｂを挿通口８４ｄと整合しない位置にすることで、収容物の落下を防ぐことができる。【００５５】
尚、針を糸に通す手順については、前述の針糸通しユニット１２と同じであり、図４〜図６の手順により行うことができる。【００５６】
この針糸通し装置１０’のように、本体と針受部材との間に収容空間９０を設けることで、さらに、空間効率が良く、携帯性・収容性に優れた針糸通し装置とすることができる。【００５７】
次に、図１５〜図２０は、本発明の第３実施形態に係る針糸通し装置を示す。【００５８】
この実施形態による針糸通し装置１００の針糸通しユニット１１２は、カバー１３２を備え、カバー１３２が針受部材１３４に対して摺動自在となっており、針受部材１３４に対して離反した位置と接近した位置との間で移動可能となった糸通し部材１４２を備えている。本体は備えても備えなくてもよい。針受部材１３４及び糸通し部材１４２は、前実施形態の針受部材３４、３４’及び糸通し部材４２にそれぞれ対応する。【００５９】
針受部材１３４は、ほぼ対称的に形成された２つの針受部品１３６、１３８を備えると共に、マグネット１４０、保護カバー１５２及びカッター１５４を備える。【００６０】
針受部品１３６、１３８は、前実施形態の針受部品３６、３８（３６’、３８’）に対応しており、それぞれ、係合突起１３６ａ、係合孔１３８ａ、鍔部１３６ｂ、１３８ｂ、長溝部１３６ｃ、１３８ｃ、突出部１３６ｄ、１３８ｄ、スリット１３６ｅ、１３８ｅ、収容溝１３６ｆ、１３８ｆ、凹部１３６ｇ、１３８ｇ、切欠部１３６ｈ、１３８ｈ、板状部１３６ｉ、１３８ｉ、軸受孔１３６ｊ、１３８ｊを備えており、これらは、前実施形態における係合孔３６ａ、係合突起３８ａ、鍔部３６ｂ、３８ｂ、長溝部３６ｃ、３８ｃ、突出部３６ｄ、３８ｄ、スリット３６ｅ、３８ｅ、収容溝３６ｆ、３８ｆ、凹部３６ｇ、３８ｇ、切欠部３６ｈ、３８ｈ、板状部３６ｉ、３８ｉ、枢軸３６ｊ、３８ｊにそれぞれ対応する。よって、長溝部１３６ｃ、１３８ｃによって針挿入穴１３４ｃが形成され、スリット１３６ｅ、１３８ｅによって糸挿入スリット１３４ｅが形成され、収容溝１３６ｆ、１３８ｆによってマグネット収容溝１３４ｆが形成され、凹部１３６ｇ、１３８ｇによって抜け穴１３４ｇが形成される。【００６１】
この針受部品１３６、１３８は、針受部品３６、３８と異なり、切欠部１３６ｈ、１３８ｈ内において半円柱状の突起１３６ｋ、１３８ｋを有しており、この突起１３６ｋ、１３８ｋによってバネ受け突起１３４ｋが形成される。【００６２】
また、この針受部品１３６、１３８は、針受部品３６、３８の構成に加えて、凹部１３６ｇ、１３８ｇの反対側に保護カバー１５２を取り付けるための第２凹部１３６ｍ、１３８ｍを備え、凹部１３６ｇ、１３８ｇと同じ側にカッター１５４を収容するための第３凹部１３６ｎ、１３８ｎを備える。【００６３】
保護カバー１５２は、一対の大きくＵ字状に折曲がった脚部１５２ａ、１５２ａと、脚部１５２ａと反対側で小さく折れ曲がった頭部１５２ｂとを備え、頭部１５２ｂの中心には上下に延びるスリット１５２ｃが形成されている。脚部１５２ａ、１５２ａは、針受部品１３６、１３８の第２凹部１３６ｍ、１３８ｍに形成された軸受部に軸受されて、針受部品１３６、１３８に取り付けられる。保護カバー１５２は、その弾性により変形可能となっている。頭部１５２ｂの折れ曲がった端部には小突起１５２ｄが突設されている。【００６４】
保護カバー１５２が針受部品１３６、１３８に取り付けられている状態で、保護カバー１５２の頭部１５２ｂと針受部品１３６、１３８との間には糸挿入スリット１３４ｅに連続する隙間が形成される。この隙間と糸挿入スリット１３４ｅとは、前実施形態における糸挿入スリット３４ｅに比べると広くなっており、糸を挿入しやすくなっている。【００６５】
糸通し部材１４２は、板状部１３６ｉ、１３８ｉを挟むようにして配置され、ほぼ同形に形成された２つの糸通し受部品１４４、１４６と、糸通し受部品１４４、１４６に挟まれる糸通し部品１４８と、から構成される。一方の糸通し受部品１４４に形成された複数の係合突起１４４ａに糸通し部品１４８に形成された複数の係合孔１４８ａ、及び他方の糸通し受部品１４６に形成された複数の係合孔１４６ａが嵌合することで、糸通し部品１４８を挟んだ状態で、糸通し受部品１４４、１４６は糸通し部材１４２の外形を構成する。糸通し部品１４８には、糸通し受部品１４４、１４６の間から突出する糸通しピン１４８ｂが形成される。【００６６】
糸通し受部品１４４には枢軸１４４ｃが形成されており、枢軸１４４ｃは、前記針受部品１３６、１３８の軸受孔１３６ｊ、１３８ｊに回動可能に嵌合する。一方の糸通し受部品１４６には糸通し受部品１４４の枢軸１４４ｃに対応する部分に切欠１４６ｃが形成されている。また、針受部品１３６、１３８の突起１３６ｋ、１３８ｋによって形成されるバネ受け突起１３４ｋと、糸通し受部品１４４、１４６に形成されたバネ受け部１４４ｂ、１４６ｂとの間には、バネ１５０が介挿される。さらに、糸通し受部品１４４、１４６のそれぞれの対向面側には抜け止め突起１４４ｅ、１４６ｅが形成される。【００６７】
以上の糸通し部材１４２を針受部材１３４に取り付けるには、図２１（ａ）に示すように、糸通し部材１４２を針受部材１３４に対して略９０度の角度に回転させた状態で、糸通し受部品１４４の枢軸１４４ｃを針受部品１３６、１３８の軸受孔１３６ｊ、１３８ｊに挿入する。このとき、糸通し受部品１４６の枢軸１４４ｃに対応する部分は切欠１４６ｃとなっており該切欠１４６ｃに針受部材１３４を通過させることができるため、糸通し受部品１４６が邪魔にならずに、枢軸１４４ｃの挿入作業を行うことができる。次に、バネ１５０を、糸通し部材１４２と針受部材１３４の間に挿入して、バネ受け突起１３４ｋとバネ受け部１４４ｂ、１４６ｂとの間にセットする（図２１（ｂ））。次に、糸通し部材１４２を揺動させてその突出部１４４ｄ、１４６ｄを針受部材１３４に接近させると、糸通し受部品１４４、１４６の抜け止め突起１４４ｅ、１４６ｅが、針受部品１３６、１３８の板状部１３６ｉ、１３８ｉに形成された抜け止め突起１３６ｐ、１３８ｐを乗り越えることにより、糸通し部材１４２が針受部材１３４に取り付けられる。抜け止め突起１４４ｅ、１４６ｅは、糸通し受部品１４４、１４６の弾性変形により抜け止め突起１３６ｐ、１３８ｐを乗り越えた後は、抜け止め突起１３６ｐ、１３８ｐと干渉することで、糸通し部材１４２のそれ以上の揺動を規制する。【００６８】
こうして、糸通し受部品１４４、１４６が前記針受部品１３６、１３８の板状部１３６ｉ、１３８ｉに隣接し、糸通し部品１４８及びバネ１５０が前記針受部品１３６、１３８の切欠部１３６ｈ、１３８ｈ内に配置されることによって、糸通し部材１４２は、軸受孔１３６ｊ、１３８ｊを中心として針受部材１３４に対して揺動可能に、つまり、針受部材１３４に対してその先端が離反する位置と接近する位置との間で移動可能となっており、且つその先端が針受部材１３４に対してバネ１５０によって離反する方向に付勢される。【００６９】
また、糸通し部品１４８の糸通しピン１４８ｂは、保護カバー１５２のスリット１５２ｃ内に挿入されており、その両側面がスリット１５２ｃによって挟まれている。【００７０】
以上のように構成される針糸通しユニットを使用する場合には、前実施形態と同様に、図１５に示す状態からカバー１３２を針受部材１３４に対して移動させると、糸通し部材１４２の揺動運動が許容され、図１６に示す状態となる。このとき、糸通し部品１４８の糸通しピン１４８ｂは、保護カバー１５２のスリット１５２ｃ内にあって保護されている（図１９）。また、抜け止め突起１４４ｅ、１４６ｅが抜け止め突起１３６ｐ、１３８ｐに当接している。【００７１】
そして、針５２をその針穴５２ａの方から針挿入穴１３４ｃに挿入し、糸５４を糸挿入スリット１３４ｅから挿入した後、糸通し部材１４２を押圧して、その糸通し受部品１４４、１４６の突出部１４４ｄ、１４６ｄの先端１４４ｆ、１４６ｆが針受部材１３４に接近するように揺動させると、図２０に示すように、糸通し部品１４８の糸通しピン１４８ｂの先端は、糸を押し出しながら、針穴５２ａを通過して、抜け穴１３４ｇに達して、前実施形態と同様に糸を針に通すことができる。この糸通し部材１４２の揺動時に、糸通し部品１４８の糸通しピン１４８ｂは、保護カバー１５２のスリット１５２ｃ内を通過しており、スリット１５２ｃによって糸通しピン１４８ｂの両側面の変位が制限されるために、細い糸通しピン１４８ｂの折れ・曲がりを防止することができる。保護カバー１５２は、糸通しピン１４８ｂを保護しつつも、糸通し部材１４２の突出部１４４ｄ、１４６ｄが接近すると、変形して、糸通し部材１４２が針受部材１３４に接近するのを阻害しないようになっていると共に、糸挿入スリット１３４ｅを塞いで、挿入した糸が逃げないようにする。また、別の糸を誤って糸挿入スリット１３４ｅ内に挿入することもできないようにする。【００７２】
糸通しピン１４８ｂが針穴５２ａ（即ち、針挿入穴１３４ｃ）を通過する直前、通過時、または通過後の所定のタイミングに合わせて、糸通し受部品１４４、１４６の突出部１４４ｄ、１４６ｄの先端１４４ｆ、１４６ｆが保護カバー１５２の小突起１５２ｄに当接するために、使用者にクリック感を与え及び／または音を発生して、糸通しが完了したことを使用者に知らしめることができる。尚、この小突起１５２ｄ以外に任意の位置に突起等を設けて、糸通しが完了したことを使用者に通知するようにしてもよい。
【図１】
0005412648.tif 000002
【図２】
0005412648.tif 000003
【図３】
0005412648.tif 000004
【図４】
0005412648.tif 000005
【図５】
0005412648.tif 000006
【図６】
0005412648.tif 000007
【図７】
0005412648.tif 000008
【図８】
0005412648.tif 000009
【図９】
0005412648.tif 000010
【図１０】
0005412648.tif 000011
【図１１】
0005412648.tif 000012
【図１２】
0005412648.tif 000013
【図１３】
0005412648.tif 000014
【図１４】
0005412648.tif 000015
【図１５】
0005412648.tif 000016
【図１６】
0005412648.tif 000017
【図１７】
0005412648.tif 000018
【図１８】
0005412648.tif 000019
【図１９】
0005412648.tif 000020
【図２０】
0005412648.tif 000021
【図２１】
0005412648.tif 000022